(57)【要約】【課題】居室の独立性と開放感を両立させ、かつ居住空間の有効利用および利便性を向上させることができる住宅を提供すること。【解決手段】間口に比べて奥行きが小さい建物の同一階に複数の居住空間が配置された住宅Ｔ１において、間口方向の一側Ａに寄せて配置されたリビング１と、他側Ｂに寄せて配置されたダイニング２と、ダイニング２に隣接して配置されたキッチン３と、リビング１およびキッチン３の間に配置された和室４と、奥行き方向の一側Ｃに寄せて配置され、リビング１、キッチン３およびダイニング２を連絡する間口方向に延びる通路５とを備え、キッチン１と和室４の間を区画する壁８が設けられ、リビング１と和室４を連絡する開口部９が設けられている構造。【選択図】      図１
2005002629.tif 000002
【特許請求の範囲】
【請求項１】
間口に比べて奥行きが小さい建物の同一階に複数の居住空間が配置された住宅において、
前記間口方向の一側に寄せて配置されたリビングと、
他側に寄せて配置されたダイニングと、
前記ダイニングに隣接して配置されたキッチンと、
前記リビングおよび前記キッチンの間に配置された和室と、
奥行き方向の一側に寄せて配置され、前記リビング、キッチンおよびダイニングを連絡する間口方向に延びる通路とを備えたことを特徴とする住宅。
【請求項２】
請求項１記載の住宅において、前記キッチンと前記和室の間を区画する壁が設けられていることを特徴とする住宅。
【請求項３】
請求項１または２に記載の住宅において、前記リビングと前記和室を連絡する開口部が設けられていることを特徴とする住宅。
【請求項４】
請求項１〜３何れかに記載の住宅において、前記リビング、和室、キッチンおよびダイニングは、前記奥行き方向の他側に寄せて配置されていることを特徴とする住宅。
【請求項５】
請求項１〜４何れかに記載の住宅において、前記和室は前記通路側に開放された通路側開口部が設けられていることを特徴とする住宅。
【請求項６】
間口に比べて奥行きが小さい建物の同一階に複数の居住空間が配置された住宅において、
前記間口方向の一側に寄せて配置されたリビングと、
他側に寄せて配置されたキッチンと、
前記リビングおよび前記キッチンの間に配置された和室と、
奥行き方向の一側に寄せて配置され、前記リビング、キッチンおよび和室を連絡する間口方向に延びる通路とを備えたことを特徴とする住宅。
【請求項７】
請求項６記載の住宅において、前記和室の床は前記リビングおよびキッチンの床より高く形成されていることを特徴とする住宅。
【請求項８】
請求項７記載の住宅において、前記和室の一部にダイニングスペースが設けられていることを特徴とする住宅。
【請求項９】
請求項６〜８何れかに記載の住宅において、前記和室と前記キッチンの境界部分の一部に壁が設けられていることを特徴とする住宅。
【発明の詳細な説明】
【０００１】
【発明の属する技術分野】
本発明は、居住空間を有効利用する住宅の技術に関する。
【０００２】
【背景技術】
従来、住宅の居住空間において、快適性や居住性を確保するために様々な工夫がなされてきた。特に複数の居住者が共用するリビングやダイニングなどにおいては、より高い開放感を得るために、リビングおよびダイニングを壁等で仕切ることなく一体的に開放した住宅（例えば、特許文献１参照。）や居室内にリビングと和室を並列させて配置した住宅（例えば、特許文献２参照。）などがある。
【０００３】
このような住宅では、居室の隅々まで見通すことができ、１つの大空間を形成することができるため、非常に開放的な居住空間となる。また、特許文献２に記載された住宅においては、リビングの開放感及び採光性に優れた住宅とすることができる。
【０００４】
【特許文献１】特開２００１−２９５４８１
【特許文献２】特開平１１−３３６３４７
【０００５】
【発明が解決しようとする課題】
しかしながら、近年、特に大都市圏では土地の高騰化が進んでおり、敷地面積はさほど広くないことが多い。この場合、建ぺい率の制限いっぱいに建築する必要がある。上記、従来例では大きな敷地面積では有効であってが、限られた敷地面積に建築する場合には問題があった。また、居室の開放感を求める一方、住宅内にはダイニングなどのプライベート空間と、来客者用にも使用可能なリビングなどのパブリック（共用）空間とが確保されている住宅も求められており、独立性が確保された構造も配慮する必要があった。
【０００６】
但し、壁や間仕切り等で各空間を仕切ると開放感を損なうことになり、いかに開放感を損なうことなく独立空間を形成することが大きな課題となっていた。また、高い居住性を確保するためには、各居室間の動線を良好にすることも重要な要素となっている。さらに、和洋住宅などでは建物内に洋室と和室が設けられているため、これらをデザイン的にも機能的にも融合させることが課題とされており、特に敷地面積や建物形状に制限がある場合は、和室の配置場所に十分配慮しなければならない問題があった。したがって、独立性と開放感および利便性に十分に配慮された住宅であることが望ましい。
【０００７】
本発明は、居室の独立性と開放感を両立させ、かつ居住空間の有効利用および利便性を向上させることができる住宅を提供することにある。
【課題を解決するための手段】
【０００８】
本発明は、間口に比べて奥行きが小さい建物の同一階に複数の居住空間が配置された住宅において、間口方向の一側に寄せて配置されたリビングと、他側に寄せて配置されたダイニングと、ダイニングに隣接して配置されたキッチンと、リビングおよびキッチンの間に配置された和室と、奥行き方向の一側に寄せて配置され、リビング、キッチンおよびダイニングを連絡する間口方向に延びる通路とを備えた構造とした。
【０００９】
このような本発明によれば、居室の独立性と開放感を両立させ、かつ居住空間の有効利用および利便性を向上させることができる。すなわち、間口に比べて奥行きが小さい住宅においては、従来から様々な問題点があったが、上記構造とすることで、リビングとダイニングをそれぞれ独立させることができる上、リビングに隣接して和室が配置されているため、開放感を向上させることもできる。また、各居室を奥行き方向の他側に寄せて配置し、各居室と連絡された間口方向に延びる通路を設けることにより、居住人の動線を良好にすることができる。
【００１０】
さらに、奥行きが小さい建物構造を有効利用し、キッチンを和室とダイニングの間に設けている。これにより、キッチンからリビング、和室およびダイニングへの移動を容易にすることができ、利便性に優れた住宅となる。また、本発明によれば、リビングとダイニングが建物の両側に配置されているため、それぞれ十分な採光性を確保するができ、居住性の向上を図ることができる。
【００１１】
前記キッチンと和室の間を区画する壁が設けられていることが望ましい。このように形成した場合、独立性の向上を図ることができる。すなわち、リビングおよび和室をパブリック（共用）空間とし、キッチンおよびダイニングをプライベート空間として区画することができる。これにより、来客時などにおいても、各居室を有効利用することができる。
【００１２】
前記リビングと和室を連絡する開口部が設けられていることが望ましい。このように形成した場合、開放感を向上させることができる。すなわち、リビングと和室を一体的な空間として利用可能となり、居住性を向上させることができる。また、一体的な空間として利用できるため、洋室と和室を融合させ和室を孤立させないように配慮されている。これにより、洋室を使用する居住人と和室を使用する居住人（例えば、老人等）の区別のない空間を形成することができる。
【００１３】
前記リビング、和室、キッチンおよびダイニングは、奥行き方向の他側に寄せて配置されていることが望ましい。このように配置した場合、間口方向に延びた通路を容易に確保することができ、建物内の移動を良好にすることができる。また、本発明のように、キッチンを建物内の中央部付近に配置しても排水設備を奥行き方向の他側の壁を利用することができる。
【００１４】
前記和室は通路側に開放された通路側開口部が設けられていることが望ましい。このように形成した場合、利便性の向上を図ることができる。すなわち、和室にはリビングと連絡する開口部と、通路と連絡する通路側開口部の二つが設けられていることになり、キッチンやダイニングへ移動する場合に非常に利便性の高い構造とすることができる。
【００１５】
間口に比べて奥行きが小さい建物の同一階に複数の居住空間が配置された住宅において、間口方向の一側に寄せて配置されたリビングと、他側に寄せて配置されたキッチンと、リビングおよびキッチンの間に配置された和室と、奥行き方向の一側に寄せて配置され、リビング、キッチンおよび和室を連絡する間口方向に延びる通路とを備えた構造。
【００１６】
このようにした場合、居室の独立性と開放感を両立させ、かつ居住空間の有効利用および利便性を向上させることができる。上記構造は、敷地面積が限定されている建物に効果的であり、リビングとキッチンをそれぞれ独立させることができる。また、リビングに隣接して和室が一体的に配置されているため、開放感を向上させることもできる。さらに、各居室を奥行き方向の一側に寄せて配置し、各居室と連絡された間口方向に延びる通路を設けることにより、居住人の動線を良好にすることができる。
【００１７】
前記和室の床はリビングおよびキッチンの床より高く形成されていることが望ましい。このように形成した場合、和室を有効利用することができる。すなわち、和室の床を高くすることで、居住空間に立体感を与えることができ、デザイン性の向上を図ることができる。
【００１８】
前記和室の一部にダイニングスペースが設けられていることが望ましい。このように形成した場合、和室を和室兼ダイニングとして利用することができる。また、上述したように和室の床はリビングおよびキッチンの床よりも高く形成されているため、居住人の利用形態（例えば、食事の際に座る位置を和室側とリビング側に適宜選択可能）に応じた使用方法とすることができる。
【００１９】
前記和室とキッチンの境界部分の一部に壁が設けられていることが望ましい。このように形成した場合、リビングおよび和室側と、キッチン側とに区画することができ、独立性を十分に確保することができる。
【００２０】
【発明の実施の形態】
以下、本発明の実施の形態について、図面を参照して説明する。
図１は本発明の第１実施形態を示す住宅Ｔ１の１階平面間取り図である。この住宅Ｔ１の間口は約６間半、奥行きは約２間半となっており、間口に比べて奥行きが小さい建物である。１階には複数の居住空間（１〜４）が配置されており、間口方向の一側Ａに寄せて配置され、間口約２間、奥行き約２間半のリビング１と、他側Ｂに寄せて配置され、間口約１間半、奥行き約２間半のダイニング２と、ダイニング２に隣接して配置され、間口約１間、奥行き約２間のキッチン３と、リビング１およびキッチン３の間に配置され、間口約２間、奥行き約２間の和室４と、奥行き方向の一側Ｃに寄せて配置され、リビング１、キッチン２およびダイニング３を連絡する間口方向に延びる通路５とを備えた構造となっている。
【００２１】
リビング１、和室４、キッチン３およびダイニング２の各居室は、奥行き方向の他側Ｄに寄せて配置されている。通路５は、間口約６間半、奥行き約半間のリビング１およびダイニング２と共用する形態で形成されている。また、各居室の周囲には外壁６が立設され、リビング１と和室４の間を区画する壁７と、キッチン３と和室４の間を区画する壁８が設けられている。和室４は、リビング１と和室４を連絡する出入り口９（開口部）と、通路５側に開放された出入り口１０（通路側開口部）の２つの出入り口が設けられている。
【００２２】
住宅Ｔ１は、リビング１に窓１１、１２と、ダイニング２に窓１３、１４がそれぞれ設けられ、通路５と和室４、キッチン３付近に窓１５、１６がそれぞれ設けられている。
【００２３】
したがって、パブリック空間となるリビング１および和室４とプライベート空間となるダイニング２およびキッチン３とをそれぞれ独立空間として形成することができ、来客時などにおいても、各居室を有効利用することができる。また、出入り口９が備えられているため、リビング１と和室４を一体的な開放感のある空間として利用することができ、居住性を向上させることができる。また、上記構成によれば、洋室（リビング１）と和室４を融合させることができ、洋室を使用する居住人と和室を使用する居住人（例えば、老人等）の区別のない一体的な空間を形成することができ、独立性と開放感を両立させた住宅となっている。
【００２４】
また、本発明によれば利便性の向上を図ることができる。これは、間口に比べて奥行きが小さい住宅においては、従来から様々な問題点があったが、各居室を奥行き方向の他側Ｄに寄せて配置し、その反対側（Ｃ）に各居室と連絡された間口方向に延びる通路５を設けることにより、通路５から各居室へ移動しやすくなり、居住人の動線を良好にすることができる。特に、和室４にはリビング１と連絡する出入り口９と、通路５と連絡する出入り口１０の二つが設けられていることになり、キッチン３やダイニング２へ移動する場合にも非常に便利である。
【００２５】
さらに、住宅Ｔ１のような奥行きが小さい建物構造を有効利用し、キッチン３を和室４とダイニング２の間に設けている。これにより、キッチン３からリビング１、和室４およびダイニング２への移動を容易にすることができ、例えば、キッチンの利用頻度の高い主婦にとっては非常に利便性に優れた住宅となる。
【００２６】
この住宅Ｔ１は、リビング１とダイニング２が建物の両側に配置されているため、窓１１、１２、１３、１４から十分な採光性を確保するができ、居住性の向上を図ることができる。また、本発明のようにキッチン３を建物内の中央部付近に配置しても排水設備を奥行き方向の他側の壁６ａを利用して排水可能となり、建物構造を有効利用した配置となっている。
【００２７】
図２は本発明の第２実施形態の住宅を示す住宅Ｔ２の１階平面間取り図である。この住宅Ｔ２の間口は約５間、奥行きは約２間半となっており、間口に比べて奥行きが小さい建物である。１階には複数の居住空間（２１〜２４）が配置されており、間口方向の一側Ａに寄せて配置され、間口約２間半、奥行き約２間半のリビング２１と、他側Ｂに寄せて配置され、間口約１間半、奥行き約２間半のキッチン２３と、リビング２１およびキッチン２３の間に配置され、間口約１間、奥行き約１間半の和室２４と、奥行き方向の一側Ｃに寄せて配置され、リビング２１、キッチン２３および和室２４を連絡する間口方向に延びる通路２５とを備えた構造となっている。
【００２８】
また、和室２４の一部はダイニングスペース２２となっており、和室兼ダイニングとした形態である。この和室２４の床はリビング２１およびキッチン２３等の床より約３０ｃｍ程度高く形成されている。ダイニングスペース２２は、食事等に使用する高さ７０ｃｍ程のダイニングテーブルＫが設けられており、全体の高さは約１ｍとなっている。
【００２９】
ダイニングテーブルＫに隣接して、複数のイスＬが備えられている。すなわち、食事等をする際、イスＬと和室２４の両方を居住人の利用形態（イスＬまたは和室２４の畳に座る）に応じて適宜使用可能となっている。これにより、快適性が向上されることになる。
【００３０】
リビング２１、和室２４（ダイニングスペース２２）、キッチン２３の各居室は、奥行き方向の他側Ｄに寄せて配置されており、通路２５の間口は約５間、奥行きは約半間となっている。また、各居室の周囲には外壁２６が立設され、和室２４とキッチン２３の境界部分の一部に壁２７が設けられている。住宅Ｔ２は、リビング２１に窓２８、２９と、和室２４に窓３０がそれぞれ設けられ、キッチン２３に窓３１と出入り口３２が設けられている。
【００３１】
したがって、居室の独立性と開放感を両立させ、かつ居住空間の有効利用および利便性を向上させることができる。上記構造は、敷地面積が限定され、間口より奥行きの小さい建物に特に効果的であり、リビング２１とキッチン２３をそれぞれ独立させることができる。また、リビング２１に隣接して和室２４が一体的に配置されているため、開放感を向上させることもできる。さらに、各居室を奥行き方向の一側Ｄに寄せて配置し、各居室と連絡された間口方向に延びる通路２５を設けることにより、居住人の動線を極めて良好にすることができる。
【００３２】
また、和室２４の床を高くすることで、居住空間に立体感を与えることができ、デザイン性の向上を図ることができ、壁２７を立設することで、リビング２１および和室２４側と、キッチン２３側とに区画することができ、独立性も十分に確保することができる。上記構造により、和洋住宅として、洋室と和室を効果的かつ機能的に融合させることができる。
【００３３】
尚、上述した本実施形態１，２では１階を例としているが、これに限定されるものではなく、２階またはそれ以上の階で実施することも可能である。
【００３４】
【発明の効果】
以上のように、本発明によれば、居室の独立性と開放感を両立させ、かつ居住空間の有効利用および利便性を向上させることができる住宅を提供することができる。
【図面の簡単な説明】
【図１】本発明の第１実施形態に係る住宅Ｔ１を示す１階平面間取り図である。
【図２】本発明の第２実施形態に係る住宅Ｔ２を示す１階平面間取り図である。
【符号の説明】
１，２１    リビング
２，２２    ダイニング（ダイニングスペース）
３，２３    キッチン
４，２４    和室
５，２５    通路
６，６ａ，２６          外壁
７，８，２７            壁
９、１０，３２          出入り口
１１〜１６，２８〜３１  窓
Ａ          一側（間口方向）
Ｂ          他側（間口方向）
Ｃ          一側（奥行き方向）
Ｄ          他側（奥行き方向）
Ｋ          ダイニングテーブル
Ｌ          イス
Ｔ１，Ｔ２  住宅
【図１】
2005002629.tif 000003
【図２】
2005002629.tif 000004